(57)【要約】【課題】魚の食い付きによりそのあたりを直接道糸に感じ取る事を目的とし、三方向若しくは数箇所の魚の食い付きを感ずる点を設ける事により道糸へ魚の食い付きを直接伝える。あたりの伝達方法と三方向若しくは数箇所の観点の所在点を決定付ける為の支持具の発明である。【解決手段】魚の食い付きによるそのあたりを直接道糸に感じ取る方法と三方向の観点の所在点を決定付ける為の支持具、一方向に観点を数箇所設定する為の支持具により上記課題を解決する。【選択図】図５  参照       
2005261291.tif 000002
【特許請求の範囲】
【請求項１】
道糸とハリスの中間に幹糸を設け、魚の食い付きによりそのあたりを直接道糸に感じ取
る事を目的とし、三方向若しくは数箇所の魚の食い付きを感ずる点（以降、観点と記する）
を設ける事により道糸へ魚の食い付きを直接に伝えるものである。三方向若しくは数箇所
の観点の所在点を決定付ける為の支持具があり、２つの実現方法を有する。実現方法１は、
三方向に観点を設定する為に支持柱を設け支持柱より三方向に弾力性を持つ金属線を延ば
し、その支持線に幹糸を添わせ蛍光パイプに通し、ハリスと釣針を結ぶものである。支持
柱の上下にはサルカンを繋ぎ、上端は道糸に下端は錘に結合する。弾力性のある材質によ
り魚が食い付いたとき、違和感を与えずに魚の食い離れを無くす事が出来る。３本の支持
線により岩場での根掛り等が激減する為、環境保護の観点上有効である。実現方法２は、
一方向に観点を数箇所（三箇所が使用経験上適当と思われる）設定する為に幹糸の先端部
と終端部にサルカンを設け、幹糸を一本とハリスを観点分結び付ける。ハリスは段階的な
長さにし幹糸に添わせ、魚の食い付き時誘導範囲の発生を防ぐ為に幹糸とハリスを蛍光パ
イプに通し釣針を結ぶものである。
【発明の詳細な説明】
【技術分野】
【０００１】
この発明は、魚の食い付きの感度を道糸に直接伝える為の向上と、魚釣り仕掛けの釣針
の位置の拡張性を一つの機能として纏めあげた魚釣り仕掛けに関するものである。
【背景技術】
【０００２】
従来の魚釣り仕掛けでは、魚が食い付いたときのあたり感度が魚の活性度あるいは動作
が小さい場合は、殆ど手元に伝わらず食い逃がしする事が多かった。ハリスの長さ分遊動
範囲が発生する為に道糸への張力が無い場合は魚の食い付きあたりが感じ取れない状況で
あったのである。又、釣針の位置が固定的に決まってしまい魚を誘う為の拡張性が困難だ
った。
【発明の開示】
【発明が解決しようとする課題】
【０００３】
釣針の海中での位置に於いては、従来の魚釣り天秤は一箇所若しくは二箇所で横方向の
一線上（図１）であった為、魚の食いあたりの範囲が限られていた。
【０００４】
又、魚の食いあたりに於いて、従来の魚釣り仕掛けは天秤からハリスまでの遊動範囲が
広すぎる。その遊動範囲とは、(1)天秤の横に張り出したアーム先端を中心にハリス長を半
径とする円状の海面に対し垂直面３６０度の振れ範囲、(2)天秤の軸を中心にアーム長を半
径とする円状の海面に対し水平面３６０度の振れ範囲（図２）である。この遊動範囲によ
り、道糸からの張力が無い場合は魚の食いあたりが道糸に伝わる事は無かった。
【課題を解決するための手段】
【０００５】
魚の食いあたりを道糸に直接伝える為に、道糸とハリスの中間に三方向若しくは数箇所
に釣針を設置する分の幹糸を設けることにより、道糸から針先までの遊動範囲（図２）で
の魚の食いあたりを確実に道糸に伝えることが出来る。三方向若しくは数箇所の針位置を
確保する為に、道糸とハリスの間に専用の支持具を取り付ける。支持具は２つの実現方法
を有する。
【０００６】
実現法１（図３）は、支持柱を設けそれより三方向に弾力性をもつ金属線による支持線
を伸ばし幹糸を添わせハリスと釣針を結ぶものである。支持線と幹糸は蛍光パイプに通し
支持柱の上下にはサルカンを繋ぎ、上端は道糸に下端は錘に結合する。弾力性のある材質
により魚が食い付いたとき、違和感を与えずに魚の食い離れを無くす事が出来る。３本の
支持線により岩場での根掛り等による仕掛け紛失が激減する為、環境汚染の軽減に役立ち
環境保護上有効である。
【０００７】
実現法２（図４）は、一方向に観点を数箇所（三箇所が使用経験上適当と思われる）設
定する為に幹糸の先端部と終端部にサルカンを設け、幹糸一本とハリスを観点分結び付け
る。ハリスは段階的な長さにし幹糸に添わせ、魚の食い付き時誘導範囲の発生を防ぐ為に
幹糸とハリスを蛍光パイプに通し釣針を結ぶものである。潮流の速い釣り場に適する。
【発明の効果】
【０００８】
前述したとおり、道糸に直接魚の食いあたりが伝わる為、釣り人のあわせ動作の向上と、
観点の拡大により魚の食い付きの範囲の拡張性が得られる。この仕掛けにより岩場での根
掛り等が激減することにより環境汚染も防ぐことが出来、簡単に支持線を纏め寄せる事が
出来る為、収納携帯時に於いては扱い易いことである。
【発明を実施するための最良の形態】
【０００９】
三方向若しくは数箇所の針位置を確保する為の支持具を道糸とハリスの中間に取り付    
けるもので、支持具は二つの実現方法を有する。
【００１０】
実現法１：
支持柱を設け上下にはフック付きサルカンを繋ぎ、上端のサルカンは道糸に繋ぎ、下端の
サルカンは錘に繋ぐ。支持柱には支持線となる弾力性のある金属線を固定し延長する。支
持線にビーズ、蛍光パイプ、ビーズ、極細パイプの順に通し支持線の先端をダイヤ状に形
成し極細パイプにて止める。支持柱の上端のフック付きサルカンに幹糸を結び、支持線を
通し済みのビーズ、蛍光パイプ、ビーズ、極細パイプに通しハリス止め用の金具を繋いだ
後、ハリス、釣針を結ぶ。この組上げを支持線分行う。
【００１１】
実現法２：
幹糸（１本）の上端部にサルカンを結び、そのサルカンにハリスを観点分結び付ける。ハ
リスは段階的な長さにし、観点分のハリスと幹糸に、蛍光パイプ、ビーズを通す。次に、
二段目のハリスと幹糸に、蛍光パイプ、ビーズを通す。順次三段目のハリスと幹糸に、蛍
光パイプ、ビーズを通した後、幹糸の終端部にサルカンを結び三段目のハリスを終端部サ
ルカンの先端環状部に通す。最後に各ハリスに釣針を結ぶ。上端部のサルカンには、実現
法１の当該発明支持具または従来の遊動天秤を繋ぐ。
【実施例１】
【００１２】
図３の様に、支持柱２と支持線３，４，５からなる支持具の上端と下端にフック付きサ
ルカン６を繋ぐ。上端部フック付きサルカン６には道糸１を繋ぎ、下端部フック付きサル
カン６には錘１５を繋ぐ。各支持線は弾力性のあるステンレス線０．７〜０．９ｍｍを使
用する。材質上支持線を一つに纏め寄せる事が出来るので、容易に収納が出来る。支持線
３，４，５は観点の拡張範囲に応じて線長を選択決定し作成する。支持線３，４，５には
ビーズ７、蛍光パイプ８、ビーズ７、極細パイプ（約１ｃｍ）１０の順に通し支持線の先
端をダイヤ状９に形成し極細パイプ１０にて止める。支持具上部のフック付きサルカン６
に幹糸１１を結び、ビーズ７、蛍光パイプ８、ビーズ７、極細パイプ１０に通し、新たに
極細パイプを通しダイヤ状９部に通す。その後ハリス止め、又はサルカン１２と結びそれ
にハリス１３、釣針１４を結ぶ。上記の構成により、三方向支持の直結あたり仕掛けが実
現出来る。
【実施例２】
【００１３】
図４の様に、幹糸（１本）１１を観点の拡張範囲分の長さに決定する。幹糸の上端部に
サルカン１２を結び、そのサルカンにハリス１３を観点分結び付ける。ハリスは段階的な
長さとし、観点分のハリス１３と幹糸１１に、蛍光パイプ８、ビーズ７の順に通し、次に、
二段目のハリス１３と幹糸１１に、蛍光パイプ８、ビーズ７を通す。順次三段目のハリス
１３と幹糸１１に、蛍光パイプ８、ビーズ７を通す。各段階間の間隔は幹糸長の均等割り
とする。幹糸１１の終端部にサルカン１２を結び三段目のハリス１３を終端部サルカン１
２の先端環状部に通す。最後に各ハリス１３に釣針１４を結び付ける。上端部のサルカン
１２には、実施例１の当該発明支持具または従来の遊動天秤を繋ぐ。上記の構成により、
一方向数箇所支持の直結あたり仕掛けが実現出来る。
【産業上の利用可能性】
【００１４】
この発明により、釣り愛好者の方々に利便性と携帯性を提供できる事はもとより、根掛
りがしずらい為仕掛けを無くすことが激減し、環境汚染の軽減に役立つと確信します。初
心者の方々にも使用簡単な釣りを楽しんで貰える事と思います。
【図面の簡単な説明】
【００１５】
【図１】従来の天秤の正面図
【図２】従来の天秤の遊動範囲図
【図３】この発明における実施１の図
【図４】この発明における実施２の図
【図５】この発明における実施２の斜視図
【符号の説明】
【００１６】
１：  道糸
２：  支持柱
３：  支持線
４：  支持線
５：  支持線
６：  フック付きサルカン
７：  ビーズ
８：  蛍光パイプ
９：  ダイヤ状の形成部
１０：  極細蛍光パイプ
１１：  幹糸
１２：  サルカン
１３：  ハリス
１４：  釣針
１５：  錘
１６：  ハリス結合部
１７：  サルカンの先端環状部へ通す
１８：  当開発の実施１の支持具、又は従来の遊動式天秤
【図１】
2005261291.tif 000003
【図２】
2005261291.tif 000004
【図３】
2005261291.tif 000005
【図４】
2005261291.tif 000006
【図５】
2005261291.tif 000007